(57)【要約】【課題】商品の販売が不能となる事態を確実に防止することが可能な商品販売陳列ケースを提供すること。【解決手段】本体ケース１０の前面開口を開閉するための前面扉２０と、前面扉２０を施錠するための施錠手段４０と、購入者からの商品の販売要求を取得するための販売要求取得手段５０と、販売要求取得手段５０により取得した販売要求に基づいて、商品陳列棚３０に配置した商品を払い出し可能に構成した商品搬出手段６０を備えた商品販売陳列ケースにおいて、前面扉２０が施錠されているか否かを検出するための検出手段７０と、検出手段７０による検出結果に基づいて、前面扉２０が施錠されている場合に、販売要求の取得が可能となるように販売要求取得手段５０を制御する制御手段８０とをさらに備えた。【選択図】      図１
2004152165.tif 000002
【特許請求の範囲】
【請求項１】
前面に開口し、内部に商品陳列棚を有する本体ケースと、前記本体ケースの前面開口を開閉するための前面扉と、前記前面開口を閉塞した状態の前面扉を施錠するための施錠手段と、購入者からの商品の販売要求を取得するための販売要求取得手段と、前記販売要求取得手段により取得した販売要求に基づいて、商品陳列棚に配置した商品を払い出し可能に構成した商品搬出手段とを備えた商品販売陳列ケースにおいて、
前記前面扉が施錠されているか否かを検出するための検出手段と、
前記検出手段による検出結果に基づいて、前記前面扉が施錠されている場合に、前記販売要求の取得が可能となるように前記販売要求取得手段を制御する制御手段と
を備えたことを特徴とする商品販売陳列ケース。
【請求項２】
前記前面扉を開閉する際に指を掛けるための指掛部を有し、前記指掛部に掛ける指を挿入するための挿入隙間を変更可能に構成した取手と、
前記検出手段による検出結果に基づいて、前記前面扉が施錠されている場合に、前記挿入隙間を減少させて指の挿入を抑止する規定手段と
を備えたことを特徴とする請求項１に記載の商品販売陳列ケース。
【発明の詳細な説明】
【０００１】
【発明の属する技術分野】
本発明は、商品販売陳列ケースに関するものである。
【０００２】
【従来の技術】
従来より、前面扉を閉じて施錠した状態では商品の無人販売が可能な自動販売機として使用できる一方、前面扉を解錠した状態では購入者が前面扉を自由に開閉して商品の取り出しが可能な有人販売用のショーケースとして使用できる商品販売陳列ケースが知られている（例えば、特許文献１参照）。
【０００３】
この商品販売陳列ケースは、購入者からの商品の販売要求を取得するための販売要求取得手段と、販売要求取得手段により取得した販売要求に基づいて、商品陳列棚に配置した商品を払い出し可能に構成した商品搬出手段とを備えている。
【０００４】
この商品販売陳列ケースは、商品搬出手段による商品の払い出し動作が可能な状態（自動販売機用モード）において自動販売機として使用される一方、商品搬出手段による商品の払い出し動作を停止した状態（ショーケース用モード）においてショーケースとして使用される。
【０００５】
【特許文献１】
特開平１−１４９１９２号公報（第２−３項、第１図）
【０００６】
【発明が解決しようとする課題】
ところで、上述した商品販売陳列ケースでは、自動販売機としての使用形態とショーケースとしての使用形態とを変更する都度、変更後の使用形態に対応すべく、自動販売機用モードとショーケース用モードとの切り換えを作業者に行わせるようにしている。
【０００７】
しかしながら、商品販売陳列ケースの使用形態の変更の都度、自動販売機用モードとショーケース用モードとの切り換えを作業者が行うこととしたのでは、作業者の不注意等の人為的な問題に起因して、モードの切り換えを誤る事態や切り換えを忘れる事態を招来する虞れがある。
【０００８】
これにより、商品販売陳列ケースを自動販売機として使用しようとする際に、誤ってショーケース用モードになっていると、最早商品販売陳列ケースが自動販売機として機能しないので、商品の販売が不能となる事態を招来してしまう。
【０００９】
本発明は、上記実情に鑑みて、商品の販売が不能となる事態を確実に防止することが可能な商品販売陳列ケースを提供することを目的とする。
【００１０】
【課題を解決するための手段】
上記の目的を達成するために、本発明の請求項１に係る商品販売陳列ケースは、前面に開口し、内部に商品陳列棚を有する本体ケースと、前記本体ケースの前面開口を開閉するための前面扉と、前記前面開口を閉塞した状態の前面扉を施錠するための施錠手段と、購入者からの商品の販売要求を取得するための販売要求取得手段と、前記販売要求取得手段により取得した販売要求に基づいて、商品陳列棚に配置した商品を払い出し可能に構成した商品搬出手段とを備えた商品販売陳列ケースにおいて、前記前面扉が施錠されているか否かを検出するための検出手段と、前記検出手段による検出結果に基づいて、前記前面扉が施錠されている場合に、前記販売要求の取得が可能となるように前記販売要求取得手段を制御する制御手段とを備えたことを特徴とする。
【００１１】
また、本発明の請求項２に係る商品販売陳列ケースは、上記請求項１において、前記前面扉を開閉する際に指を掛けるための指掛部を有し、前記指掛部に掛ける指を挿入するための挿入隙間を変更可能に構成した取手と、前記検出手段による検出結果に基づいて、前記前面扉が施錠されている場合に、前記挿入隙間を減少させて指の挿入を抑止する規定手段とを備えたことを特徴とする。
【００１２】
【発明の実施の形態】
以下に添付図面を参照して、本発明に係る商品販売陳列ケースの好適な実施の形態を詳細に説明する。
【００１３】
（実施の形態１）
図１〜３は、本発明の実施の形態１である商品販売陳列ケースを示すもので、より詳細には、図１は正面図、図２は断面平面図、図３は断面側面図である。図４は、本実施の形態１である商品販売陳列ケースにおける制御系のブロック図である。
【００１４】
図１〜３に示した商品販売陳列ケースは、本体ケース１０、商品陳列棚３０、施錠手段４０、販売要求取得手段５０、商品搬出手段６０、検出手段７０および制御手段８０を備える。
【００１５】
本体ケース１０は、直方状に構成されており、その前面における略上半部に開口（以下、前面開口という）を有する一方、その前面において前面開口の下方に位置する部位に商品取出口１１を有する。本体ケース１０には、前面開口を開閉するための前面扉２０と、商品取出口１１を開閉するための商品取出扉１２とが設けてある。
【００１６】
前面扉２０は、図１に示すように、本体ケース１０において前面開口の左側縁となる部位に軸支された左扉２０Ｌと、前面開口の右側縁となる部位に軸支された右扉２０Ｒとから成る。
【００１７】
左扉２０Ｌおよび右扉２０Ｒは、矩形の枠体２１にガラス等の透明板材２２を嵌め込んで構成してある。これら左扉２０Ｌおよび右扉２０Ｒは、前面開口を左右両開きで開閉する際に、指を掛けるための取手２３を備える。取手２３は、図１に示すように、左扉２０Ｌにおいて右端となる部位と、右扉２０Ｒにおいて左端となる部位とにそれぞれ設けてある。この取手２３は、図３に示すように、上下両端となる部位が左扉２０Ｌあるいは右扉２０Ｒに固定され、上下方向の中央側となる部位と左扉２０Ｌあるいは右扉２０Ｒとの間に隙間を設けて、この隙間に指を挿入して指を掛けられるように構成してある。
【００１８】
商品取出扉１２は、その下部が本体ケース１０において商品取出口１１の下縁となる部位に軸支され、前下方向に回動して商品取出口１１を開放する。この商品取出扉１２は、図３に示すように、錘１２ａの重力により商品取出口１１を閉塞する位置に復帰するように構成してある。
【００１９】
商品陳列棚３０は、本体ケース１０の内部に上下方向に複数段設けてある。各商品陳列棚３０には、個々の上面に複数の商品収納ラック３１が左右に並設してある。
【００２０】
商品収納ラック３１は、商品を収納するためのもので、搬送手段３２を備える。搬送手段３２は、図３に示すように、前後に平行配置したローラ３２ａの対に無端状の搬送ベルト３２ｂを掛け回して構成してある。この搬送手段３２は、搬送ベルト３２ｂの上面に商品が配置された状態においてローラ３２ａが回転動作した場合に、商品を後方から前方に向けて搬送する。
【００２１】
施錠手段４０は、前面扉２０の施錠を行うためのもので、本体ケース１０において前面開口の下縁となる部位に設けてある。施錠手段４０としては、例えば、鍵を用いた作業者の施錠／解錠操作により、施錠／解錠作動を行うように構成したものを適用することができる。
【００２２】
販売要求取得手段５０は、購入者からの商品の販売要求を取得するためのもので、購入者に対する金銭の受容や返却を行う金銭処理部５１と、購入者に商品収納ラック３１の選択を行わせる操作部５２とから成る。これら金銭処理部５１および操作部５２は、図１に示すように、本体ケース１０の右側部に連設された操作ユニット１３に設けてある。
【００２３】
金銭処理部５１は、操作ユニット１３の表面に、紙幣を受容または返却する紙幣口５１ａと、硬貨を受容する硬貨口５１ｂと、釣り銭や紙幣、硬貨の返却を指示する返却レバー５１ｃと、釣り銭を返却する返却口５１ｄとを有する。この金銭処理部５１は、購入者による入金操作が行われると、図４に示すように、その入金情報を後述の制御手段８０に送出する。
【００２４】
操作部５２は、操作ユニット１３の表面に、商品収納ラック３１の番号を選択するための選択キーや決定キー等の操作ボタン５２ａと、選択した商品収納ラック３１の番号または受容した金額や釣り銭金額等の情報を表示する表示パネル５２ｂとを有する。この操作部５２は、購入者によって商品収納ラック３１の番号の選択が行われると、該選択された商品収納ラック３１の番号を販売要求情報（販売要求）として取得し、図４に示すように、該取得した販売要求情報を制御手段８０に送出する。
【００２５】
商品搬出手段６０は、商品収納ラック３１における搬送手段３２により搬送された商品を商品取出口１１へ払い出すためのもので、商品受台６１、駆動部６２および内扉６３を備える。
【００２６】
商品受台６１は、図２、３に示すように、１つの商品陳列棚３０に並べた全商品収納ラック３１の総左右幅に対応した幅を有して形成してある。この商品受台６１は、左右幅方向の端に左右側壁６１ａを有し、この左右側壁６１ａの間に前下方向に傾斜する受取面６１ｂを備える。この商品受台６１は、購入者により選択された商品収納ラック３１を有する商品陳列棚３０において商品を受け取り可能な位置（以下、受取位置という）と、商品取出口１１に通じ、商品を本体ケース１０の外部に受け渡し可能な位置（以下、取出位置という）とに移動する。図３中では、受取位置を二点鎖線で例示する一方、取出位置を実線で示している。この商品受台６１は、搬送手段３２により搬送された商品を収容したか否かを検出する商品検出手段（図示せず）を有している。
【００２７】
駆動部６２は、商品受台６１に設けてあって、商品受台６１の左右方向に移動可能であり、購入者により選択された商品収納ラック３１における搬送手段３２を駆動可能な位置（以下、駆動位置という）に移動し、搬送手段３２に駆動力を伝達する。
【００２８】
内扉６３は、図３に示すように、板状に構成した下端が商品受台６１の前側下方に軸支されて前下方向に回動可能である。この内扉６３は、商品受台６１が上述した取出位置にあるときに商品受台６１の前側を開放するように回動が許される。このとき、内扉６３は、商品取出口１１の商品取出扉１２に重なる位置にあり、商品取出口１１を開放するべく商品取出扉１２を回動させた際に共に回動する。
【００２９】
検出手段７０は、前面扉２０が施錠されているか否かを検出するためのものである。
【００３０】
制御手段８０は、販売要求取得手段５０および商品搬出手段６０の動作を制御するためのもので、図４に示すように、販売要求取得手段５０から入金情報および販売要求情報を取得可能、かつ検出手段７０による検出結果を取得可能に構成してある。
【００３１】
この制御手段８０は、検出手段７０から取得した検出結果に基づいて、前面扉２０が施錠されている場合に、購入者からの商品の販売要求の取得が可能となるように販売要求取得手段５０の動作を制御する。具体的には、購入者による入金操作を許可するように金銭処理部５１を制御し、かつ金銭処理部５１から入金情報を取得した場合に、購入者による商品収納ラック３１の番号の選択操作を許可するように操作部５２を制御する。この制御手段８０は、操作部５２から販売要求情報を取得した場合に、該取得した販売要求情報に基づいて商品を払い出すための払出指令を商品搬出手段６０に送出する。ここで、払出指令には、購入者により選択された商品収納ラック３１に対応する取出位置と駆動位置とを指定するための情報が含まれている。
【００３２】
また、この制御手段８０は、前面扉２０が解錠されている場合に、購入者からの商品の販売要求の取得を停止するように販売要求取得手段５０を制御する。具体的には、購入者による入金操作を拒否するように金銭処理部５１を制御し、かつ購入者による商品収納ラック３１の番号の選択操作を拒否するように操作部５２を制御する。
【００３３】
つぎに、上述したように構成した本実施の形態１である商品販売陳列ケースにおける動作について説明する。
【００３４】
上述した商品販売陳列ケースでは、作業者が施錠手段４０を解錠操作して前面扉２０を解錠すると、取手２３に指を掛けて前面扉２０を開くことにより、購入者が商品収納ラック３１に収納された商品を自由に取り出すことが可能になる。
【００３５】
このとき、検出手段７０は、前面扉２０の解錠状態を検出し、解錠状態情報を制御手段８０に送出する。検出手段７０から解錠状態情報を取得した制御手段８０は、購入者からの商品の販売要求の取得を停止するように販売要求取得手段５０を制御する。具体的には、購入者による入金操作を拒否するように金銭処理部５１を制御し、かつ購入者による商品収納ラック３１の番号の選択操作を拒否するように操作部５２を制御する。この結果、上述した商品販売陳列ケースでは、販売要求取得手段５０による購入者からの販売要求の取得が停止されるので、購入者が商品収納ラック３１に収納された商品を取り出す際に、商品搬出手段６０による商品の払い出し動作が確実に防止される。
【００３６】
以上により、上述した商品販売陳列ケースは、作業者による前面扉２０の解錠によって、商品が購入者によって自由に取り出し可能、かつ商品搬出手段６０による商品の払い出し動作が防止された状態、つまり有人販売用のショーケースとして使用することができる状態（以下、この状態をショーケース用モードという）となる。
【００３７】
一方、上述した商品販売陳列ケースでは、作業者が施錠手段４０を施錠操作して前面扉２０を施錠すると、前面扉２０の施錠状態が検出手段７０によって検出される。その後、検出手段７０は、施錠状態情報を制御手段８０に送出する。検出手段７０から施錠状態情報を取得した制御手段８０は、購入者からの商品の販売要求の取得が可能となるように販売要求取得手段５０を制御する。具体的には、購入者による入金操作を許可するように金銭処理部５１を制御し、かつ金銭処理部５１から入金情報を取得した際に、購入者による商品収納ラック３１の番号の選択操作を許可するように操作部５２を制御する。これにより、上述した商品販売陳列ケースでは、販売要求取得手段５０が購入者からの商品の販売要求を取得可能な状態となる。
【００３８】
この状態において、購入者によって入金操作および商品収納ラック３１の番号の選択操作が行われると、制御手段８０は、操作部５２から販売要求情報を取得し、商品搬出手段６０に上述した払出指令を送出する。
【００３９】
制御手段８０から払出指令を取得した商品搬出手段６０は、該取得した払出指令に基づいて、商品受台６１および駆動部６２を移動させる。具体的には、払出指令により指定された受取位置へ向けて、商品受台６１を上下方向に移動させるとともに、払出指令により指定された駆動位置へ向けて、駆動部６２を左右方向に移動させる。
【００４０】
指定された受取位置に商品受台６１が位置し、かつ指定された駆動位置に駆動部６２が位置すると、商品搬出手段６０は、駆動部６２を動作させることにより、駆動対象となる搬送手段３２のローラ３２ａを回転駆動する。
【００４１】
搬送手段３２は、ローラ３２ａの回転動作に伴って搬送ベルト３２ｂが循環動作することにより、搬送ベルト３２ｂ上に配置された商品を商品受台６１へ向けて搬出する。
【００４２】
商品搬出手段６０は、搬送手段３２により搬出された商品が商品検出手段により検出されると、つまり、搬送手段３２により搬出された商品を収容すると、駆動部６２によるローラ３２ａの回転駆動を終了させ、商品受台６１を上述した取出位置へ向けて下降させる。その後、商品搬出手段６０は、商品受台６１を取出位置に至らすと、商品の払い出し動作を終了する。
【００４３】
この結果、商品取出扉１２を開くことにより、商品受台６１の前側を閉塞していた内扉６３が前方へ倒れながら開き（図３中二点鎖線で例示）、商品受台６１の受取面６１ｂ上にある商品が商品取出口１１から本体ケース１０の外に取り出されるようになる。
【００４４】
以上により、上述した商品販売陳列ケースは、作業者による前面扉２０の施錠によって、購入者からの商品の販売要求に基づいて商品を払い出すことができる状態、つまり自動販売機として使用することができる状態（以下、この状態を自動販売機用モードという）となる。
【００４５】
以上説明したように、本実施の形態１である商品販売陳列ケースでは、前面開口を閉塞した前面扉２０が施錠状態である場合に、購入者からの商品の販売要求の取得が可能となるように販売要求取得手段５０を制御する一方、前面扉２０が解錠状態である場合に、購入者からの商品の販売要求の取得を停止するように販売要求取得手段５０を制御する制御手段８０を備えたので、作業者による前面扉２０の施錠／解錠操作に応じて、自動販売機用モードとショーケース用モードとの切り換えが制御手段８０によって行われる。
【００４６】
従って、本実施の形態１である商品販売陳列ケースによれば、自動販売機用モードとショーケース用モードとの切り換えを作業者が行う必要がないので、作業者の不注意等の人為的な問題に起因して、モードの切り換えを誤る事態や切り換えを忘れる事態を招来する虞れがない。このため、自動販売機として使用しようとする際に自動販売機として確実に機能して、商品の販売が不能となる事態を確実に防止することが可能になり、しかも、商品販売陳列ケースの使用形態の変更に伴う作業性の向上を図ることができる。
【００４７】
（実施の形態２）
つぎに、本発明の実施の形態２である商品販売陳列ケースについて説明する。上述した実施の形態１では、常時、取手に指を掛けることができるのに対し、本実施の形態２では、前面扉が解錠されているときのみ取手に指を掛けることができるように構成している。
【００４８】
図５は、本実施の形態２である商品販売陳列ケースの正面図である。本実施の形態２である商品販売陳列ケースは、上述した実施の形態１と同様に、本体ケース１０、商品陳列棚３０、施錠手段４０、販売要求取得手段５０、商品搬出手段６０、検出手段７０および制御手段８０を備える。なお、本体ケース１０、商品陳列棚３０、施錠手段４０、販売要求取得手段５０、商品搬出手段６０、検出手段７０および制御手段８０は、上述した実施の形態１のものと同様の構成を有するので、同一の符号を付して詳細な説明を省略する。
【００４９】
本実施の形態２である商品販売陳列ケースは、本体ケース１０の前面に開口した前面開口を開閉するための前面扉２００を有する。前面扉２００は、上述した実施の形態１における前面扉２０と同様に、本体ケース１０において前面開口の左側縁となる部位に軸支された左扉２００Ｌと、前面開口の右側縁となる部位に軸支された右扉２００Ｒとから成る。
【００５０】
左扉２００Ｌおよび右扉２００Ｒは、矩形の枠体２０１にガラス等の透明板材２０２を嵌め込んで構成してある。これら左扉２００Ｌおよび右扉２００Ｒは、前面開口を左右両開きで開閉する際に、指を掛けるための取手１００を備える。
【００５１】
取手１００は、図５に示すように、左扉２００Ｌにおいて右端となる部位に設けられた左側取手１００Ｌと、右扉２００Ｒにおいて左端となる部位に設けられた右側取手１００Ｒとから成る。
【００５２】
図６は、取手１００の構成を説明するための説明図である。左側取手１００Ｌは、取手部１０１、取手駆動部１０２および規定手段１０３を備える。取手部１０１は、図６に示すように、左扉２００Ｌの枠体２０１の右端縁に取り付けるための取付板状部１０１ａと、取付板状部１０１ａの前端縁から左扉２００Ｌが軸支された側へ直角に延在する引掛板状部１０１ｂとを備えてＬ字状を成す。
【００５３】
取付板状部１０１ａは、図６に示すように、前後方向に長孔を形成する長孔部１０１ｃを上下に２つ有する。引掛板状部１０１ｂは、図６に示すように、その裏面が左扉２００Ｌの前面に対向するように配置され、その裏面側の部位が指を掛けるための指掛部１０１ｄを構成する。
【００５４】
上述した左側取手１００Ｌは、取付板状部１０１ａの個々の長孔部１０１ｃに挿通された抜止ピン１０１ｅを介して、枠体２０１の右端縁を段状に切り欠いて設けた案内切欠部２０１ａに取り付けてある。この左側取手１００Ｌは、図６に示すように、取付板状部１０１ａを案内切欠部２０１ａに案内させながら、前後方向に沿って移動可能である。
【００５５】
ここで、図６中、左側取手１００Ｌを前方に移動させると、指掛部１０１ｄと左扉２００Ｌとの間の隙間（挿入隙間）Ｌが増大する一方、左側取手１００Ｌを後方に移動させると、隙間Ｌが減少する。この隙間Ｌは、指掛部１０１ｄに掛ける指を挿入するためのものである。この左側取手１００Ｌは、前方に移動した場合、指を挿入して指掛部１０１ｄに指を掛けるために十分な隙間Ｌが確保され、かつ、後方に移動した場合、指掛部１０１ｄが左扉２００Ｌに当接あるいは極めて近接した状態（図６中二点鎖線で例示）となるように構成してある。
【００５６】
取手駆動部１０２は、左側取手１００Ｌを前後方向に移動させる駆動源となるものである。この取手駆動部１０２としては、例えば、ソレノイドを用いて構成したものを適用することが可能である。
【００５７】
規定手段１０３は、取手駆動部１０２の動作を制御するためのもので、検出手段７０による検出結果を取得可能に構成してある。この規定手段１０３は、検出手段７０から取得した検出結果に基づいて、前面扉２０が施錠状態である場合に、取手駆動部１０２に左側取手１００Ｌを後方へ移動させる一方、左扉２００Ｌが解錠状態である場合に、取手駆動部１０２に左側取手１００Ｌを前方へ移動させる。
【００５８】
なお、図６において図示しない右側取手１００Ｒは、上述した左側取手１００Ｌに対して左右対称の構成を有するものであるので、その説明を省略する。
【００５９】
つぎに、上述したように構成した本実施の形態２である商品販売陳列ケースにおける動作について説明する。
【００６０】
上述した商品販売陳列ケースにおいて作業者が施錠手段４０を解錠操作して前面扉２００を解錠すると、前面扉２００の解錠状態が検出手段７０によって検出される。その後、検出手段７０は、解錠状態情報を制御手段８０に送出する。検出手段７０から解錠状態情報を取得した制御手段８０は、購入者からの商品の販売要求の取得を停止するように販売要求取得手段５０を制御する。具体的には、購入者による入金操作を拒否するように金銭処理部５１を制御し、かつ購入者による商品収納ラック３１の番号の選択操作を拒否するように操作部５２を制御する。この結果、上述した商品販売陳列ケースでは、販売要求取得手段５０による購入者からの販売要求の取得が停止されるので、購入者が商品収納ラック３１に収納された商品を取り出す際に、商品搬出手段６０による商品の払い出し動作が確実に防止される。
【００６１】
このとき、検出手段７０から前面扉２００の解錠状態情報を取得した規定手段１０３は、取手部１０１が前方に移動するように取手駆動部１０２を動作させる。これにより、取手部１０１が前方に移動し、指掛部１０１ｄと前面扉２００との間に、指掛部１０１ｄに指を掛けるために十分な大きさの隙間Ｌが確保されるので、購入者が指掛部１０１ｄに指を掛けて、前面扉２００を開くことができるようになる。この結果、上述した商品販売陳列ケースでは、指掛部１０１ｄに指を掛けて前面扉２００を開くことにより、購入者が商品収納ラック３１に収納された商品を自由に取り出すことが可能になる。
【００６２】
以上により、上述した商品販売陳列ケースは、作業者による前面扉２０の解錠によって、商品が購入者によって自由に取り出し可能、かつ商品搬出手段６０による商品の払い出し動作が防止された状態、つまりショーケース用モードとなる。
【００６３】
一方、上述した商品販売陳列ケースにおいて作業者が施錠手段４０を施錠操作して前面扉２００を施錠すると、前面扉２００の施錠状態が検出手段７０によって検出される。その後、検出手段７０は、施錠状態情報を制御手段８０に送出する。検出手段７０から施錠状態情報を取得した制御手段８０は、購入者からの商品の販売要求の取得が可能となるように販売要求取得手段５０を制御する。具体的には、購入者による入金操作を許可するように金銭処理部５１を制御し、かつ金銭処理部５１から入金情報を取得した際に、購入者による商品収納ラック３１の番号の選択操作を許可するように操作部５２を制御する。これにより、上述した商品販売陳列ケースは、販売要求取得手段５０が購入者からの商品の販売要求を取得可能な状態となるので、上述した実施の形態１と同様に、購入者からの商品の販売要求に基づいて商品の払い出しを行うことができるようになる。
【００６４】
このとき、検出手段７０から前面扉２００の施錠状態情報を取得した規定手段１０３は、取手部１０１が後方に移動するように取手駆動部１０２を動作させる。これにより、取手部１０１が後方に移動し、指掛部１０１ｄが左扉２００Ｌに当接あるいは極めて近接した状態となるので、購入者が指掛部１０１ｄに指を掛けることが抑止される。
【００６５】
以上により、上述した商品販売陳列ケースは、作業者による前面扉２０の施錠によって、購入者からの商品の販売要求に基づいて商品の払い出しを行うことが可能な状態、つまり自動販売機用モードとなり、しかも購入者が指掛部１０１ｄに指を掛けて、前面扉２００を開けようとする事態を防止することができる。
【００６６】
以上説明したように、本実施の形態２である商品販売陳列ケースでは、前面開口を閉塞した前面扉２００が施錠状態である場合に、購入者からの商品の販売要求の取得が可能となるように販売要求取得手段５０を制御する一方、前面扉２００が解錠状態である場合に、購入者からの商品の販売要求の取得を停止するように販売要求取得手段５０を制御する制御手段８０を備えたので、作業者による前面扉２００の施錠／解錠操作に応じて、自動販売機用モードとショーケース用モードとの切り換えが制御手段８０によって行われる。
【００６７】
従って、本実施の形態２である商品販売陳列ケースによれば、自動販売機用モードとショーケース用モードとの切り換えを作業者が行う必要がないので、作業者の不注意等の人為的な問題に起因して、モードの切り換えを誤る事態や切り換えを忘れる事態を招来する虞れがない。このため、自動販売機として使用しようとする際に自動販売機として確実に機能して、商品の販売が不能となる事態を確実に防止することが可能になり、しかも、商品販売陳列ケースの使用形態の変更に伴う作業性の向上を図ることができる。
【００６８】
また、本実施の形態２である商品販売陳列ケースでは、前面扉２００が施錠状態である場合に、取手駆動部１０２に取手部１０１を後方へ移動させて、指掛部１０１ｄに指を掛けることが防止される一方、前面扉２００が解錠状態である場合に、取手駆動部１０２に取手部１０１を前方へ移動させて、指掛部１０１ｄに指を掛けるために十分な大きさの隙間Ｌを確保するようにしている。
【００６９】
従って、本実施の形態２である商品販売陳列ケースによれば、自動販売機として使用する際に、購入者が指掛部１０１ｄに指を掛けて前面扉２００を開けようとする事態を防止することが可能になる一方、ショーケースとして使用する際に、購入者が指掛部１０１ｄに指を掛けて前面扉２００を開けることができるので、購入者の利便性を損なうことなく、購入者による前面扉２００の誤操作を防止することが可能になる。しかも、本実施の形態２である商品販売陳列ケースによれば、自動販売機として使用する際に、前面扉２００へ向かって取手部１０１が引き込んだ状態となるので、自動販売中であることを購入者に対して視覚的に伝えることにより、購入者による前面扉２００の誤操作を一層確実に防止することが可能になる。
【００７０】
なお、上述した実施の形態２では、取手部１０１の指掛部１０１ｄが対向する前面扉２００に対して近接離反移動可能となるように構成した取手１００を適用しているが、これに限定されるものではない。
【００７１】
具体的には、指掛部１０１ｄに対して向き合いながら近接離反移動可能な移動部（図示せず）を有して構成した取手を適用することができる。この場合、移動部を指掛部１０１ｄに対して近接移動させれば、購入者が指掛部１０１ｄに指を掛けることを防止することが可能になる一方、移動部を指掛部１０１ｄに対して離反移動させれば、購入者が指掛部１０１ｄに指を掛けることが可能になり、この結果、上述した実施の形態２と同様の作用、効果を奏するようになる。
【００７２】
また、上述した実施の形態２では、自動販売機として使用する際に、購入者による前面扉２００の誤操作を防止するために、指掛部１０１ｄが前面扉２００に当接あるいは極めて近接した状態となるようにしているが、これに限定されるものではない。
【００７３】
具体的には、自動販売機として使用する際に、図７に示す変形例のように、取手２３の前方を案内手段２１０で覆い隠すようにしても、購入者による前面扉２０の誤操作を防止することが可能になる。この案内手段２１０として、図７に示すように、その表面に自動販売中である旨を明記したものを適用すれば、自動販売中であることを購入者に対して一層視覚的に伝えることができるので、購入者による前面扉２００の誤操作を一層確実に防止することが可能になる。この案内手段２１０は、図７中明示しないが取手２３に着脱可能であり、商品販売陳列ケースをショーケースとして使用する場合には取り外すことができる。
【００７４】
【発明の効果】
以上説明したように、本発明の請求項１に係る商品販売陳列ケースによれば、前面扉の施錠状態を検出するための検出手段と、前記検出手段による検出結果に基づいて、前記前面扉が施錠されている場合に、販売要求の取得が可能となるように販売要求取得手段を制御する制御手段とを備えたので、前記前面扉が施錠されている場合に、自動販売機として確実に機能して、商品の販売が不能となる事態を確実に防止することが可能になる。
【００７５】
また、本発明の請求項２に係る商品販売陳列ケースによれば、前面扉を開閉する際に指を掛けるための指掛部を有し、前記指掛部に掛ける指を挿入するための挿入隙間を変更可能に構成した取手と、検出手段による検出結果に基づいて、前記前面扉が施錠されている場合に、前記挿入隙間を減少させて指の挿入を抑止する規定手段とを備えたので、購入者による前面扉２００の誤操作を防止することが可能になる。
【図面の簡単な説明】
【図１】本発明の実施の形態１である商品販売陳列ケースを示す正面図である。
【図２】本発明の実施の形態１である商品販売陳列ケースを示す断面平面図である。
【図３】本発明の実施の形態１である商品販売陳列ケースを示す断面側面図である。
【図４】本発明の実施の形態１である商品販売陳列ケースにおける制御系のブロック図である。
【図５】本発明の実施の形態２である商品販売陳列ケースの正面図である。
【図６】図５に示した取手の構成を説明するための説明図である。
【図７】本発明の実施の形態２である商品販売陳列ケースの変形例を示す正面図である。
【符号の説明】
１０        本体ケース
１１        商品取出口
１２        商品取出扉
１３        操作ユニット
２０        前面扉
２０Ｒ      右扉
２０Ｌ      左扉
２１        枠体
２２        透明板材
２３        取手
３０        商品陳列棚
３１        商品収納ラック
３２        搬送手段
３２ａ      ローラ
３２ｂ      搬送ベルト
４０        施錠手段
５０        販売要求取得手段
５１        金銭処理部
５１ｂ      硬貨口
５１ａ      紙幣口
５１ｃ      返却レバー
５１ｄ      返却口
５２        操作部
５２ａ      操作ボタン
５２ｂ      表示パネル
６０        商品搬出手段
６１        商品受台
６１ａ      左右側壁
６１ｂ      受取面
６２        駆動部
６３        内扉
７０        検出手段
８０        制御手段
１００      取手
１００Ｒ    右側取手
１００Ｌ    左側取手
１０１      取手部
１０１ａ    取付板状部
１０１ｂ    引掛板状部
１０１ｃ    長孔部
１０１ｄ    指掛部
１０１ｅ    抜止ピン
１０２      取手駆動部
１０３      規定手段
２００      前面扉
２００Ｒ    右扉
２００Ｌ    左扉
２０１      枠体
２０１ａ    案内切欠部
２０２      透明板材
２１０      案内手段
【図１】
2004152165.tif 000003
【図２】
2004152165.tif 000004
【図３】
2004152165.tif 000005
【図４】
2004152165.tif 000006
【図５】
2004152165.tif 000007
【図６】
2004152165.tif 000008
【図７】
2004152165.tif 000009